(57)【要約】【課題】  比較的単純な略Ｌ形状の少なくとも一対の家具ユニットを種々組み合わせて、比較的広いフロアー空間において、多様で立体感のある使用を可能とした、腰掛け主体のユニット家具を提供する。【解決手段】  略Ｌ形に形成された一方及び他方の家具ユニット１、２を少なくとも有し、一方の家具ユニット１の内壁面には、該一方の家具ユニット１の略Ｌ形面を接地させた時の中段部に雌係合部３を設け、他方の家具ユニット２の一方の端面には、雌係合部３に着脱自在に係止される雄係合部４を設け、一方の家具ユニット１のＬ形面を接地させ、他方の家具ユニット２の他方の端面を接地させた時に、雌雄係合部３、４を係止させて、一方の家具ユニット１に対し他方の家具ユニット２を固定されるようにした。【選択図】      図１
2005066188.tif 000002
【特許請求の範囲】
【請求項１】
略Ｌ形に形成された一方及び他方の家具ユニットを少なくとも有し、一方の家具ユニットの内壁面には、該一方の家具ユニットの略Ｌ形面を接地させた時の中段部に第１の係合部が設けられ、他方の家具ユニットの一方の端面には、上記第１の係合部に着脱自在に係止される第２の係合部が設けられ、一方の家具ユニットのＬ形面を接地させ、他方の家具ユニットの他方の端面を接地させた時に、上記第１の係合部と第２の係合部とが着脱自在に係止されて、一方の家具ユニットに対し他方の家具ユニットが固定されるようにしたことを特徴とするユニット家具。
【請求項２】
前記第１の係合部は、横方向に連続する溝形の雌係合部とされており、前記第２の係合部は、横方向に連続するフック形の雄係合部とされていることを特徴とする請求項１に記載のユニット家具。
【請求項３】
前記雌係合部は、前記一方の家具ユニットの略Ｌ形の一方の辺及び他方の辺の内壁面の中段部に略連続した形状で設けられていることを特徴とする請求項２に記載のユニット家具。
【請求項４】
前記他方の家具ユニットの一方の端面には、前記雄係合部が設けられ、前記他方の家具ユニットの角部の外壁には、前記雌係合部が設けられ、この雌係合部には、別の、他方の家具ユニットの一方の端面に設けられた前記雄係合部が着脱自在に係止される構造とされていることを特徴とする請求項２又は３に記載のユニット家具。
【発明の詳細な説明】
【技術分野】
【０００１】
本発明は、比較的単純な形状の少なくとも一対の家具ユニットを適宜組み合わせて、多様な使用を可能とした腰掛け主体のユニット家具に関するものである。
【背景技術】
【０００２】
従来から、フロアーで用いるユニット家具として、副数種類の角形等の腰掛けを用意し、種々組み合わせて使用することが行なわれていた。
【０００３】
ところが、上記従来のユニット家具は、立体性に欠けるという問題があり、空間の多様な有効利用に問題があった。
【発明の開示】
【発明が解決しようとする課題】
【０００４】
本発明は、上記のような事情に基づいてなされたもので、その目的とするところは、比較的単純な略Ｌ形状の少なくとも一対の家具ユニットを種々組み合わせて、比較的広いフロアー空間において、多様で立体感のある使用を可能とした、腰掛け主体のユニット家具を提供するものである。
【課題を解決するための手段】
【０００５】
このため、本発明のユニット家具は、図の実施の形態においても示されるように、略Ｌ形に形成された一方及び他方の家具ユニット１、２を少なくとも有し、一方の家具ユニット１の内壁面には、該一方の家具ユニット１の略Ｌ形面を接地させた時の中段部に第１の係合部（雌係合部３又は雄係合部４）が設けられ、他方の家具ユニット２の一方の端面には、上記第１の係合部に着脱自在に係止される第２の係合部（雄係合部４又は雌係合部３）が設けられている。一方の家具ユニット１のＬ形面を接地させ、他方の家具ユニット２の他方の端面を接地させた時に、上記第１の係合部と第２の係合部とが係止されて、一方の家具ユニット１に対し他方の家具ユニット２が固定されるようにしたことを特徴としている。
【０００６】
上記一方及び他方の家具ユニット１、２は、略Ｌ形の主体部分があればよく、両端縁に鉤形折曲部を設けたり、全体として略コ形に形成させることもできる。
【０００７】
前記第１の係合部は、実施の形態として、横方向に連続する溝形の雌係合部３とされており、前記第２の係合部は、横方向に連続するフック形の雄係合部４とされている。
【０００８】
また、実施の形態として、前記雌係合部３は、前記一方の家具ユニット１の略Ｌ形の一方の辺１ａ及び他方の辺１ｂの内壁面の中段部に横方向に略連続した形状で設けられている。
【０００９】
また、実施の形態として、前記他方の家具ユニット２の一方の端面には、前記雄係合部４が設けられ、前記他方の家具ユニット２の角部の外壁には、前記雌係合部３が設けられ、この雌係合部３には、別の、他方の家具ユニット２の一方の端面に設けられた前記雄係合部４が着脱自在に係止される構造とされている。
【発明の効果】
【００１０】
上記本発明のユニット家具では、一方の家具ユニット１を衝立板として、他方の家具ユニット２を腰掛けとして使用する。両ユニットの高さを高くして、別途小椅子を用意し、他方の家具ユニット２をテーブルとして用いることも可能である。
【００１１】
上記の構成によれば、一方及び他方の家具ユニット１、２を適宜組み合わせて、図１乃至図８に示すような多様な使用（後述）が可能となり、特に、接客室や商品陳列室のような業務用の広いフロアーにおいて、多様で立体的な空間利用が可能で、フロアーの有効利用を図ることができる。
【００１２】
また、一方及び他方の家具ユニット１、２は、単純な略Ｌ形状であり、雌雄係合部も、市販の金具を用いることができ、安価に提供することができる。また、その組み合わせ作業や、レイアウトの変更作業も容易であり、目的等に応じて、容易にレイアウトを変更させることができる。
【発明を実施するための最良の形態】
【００１３】
以下、本発明の実施の形態を、図面を参照しながら、具体的に説明する。
本発明に係るユニット家具は、略Ｌ形に形成された一方及び他方の家具ユニット１、２の着脱自在の組み合わせから構成される。一方の家具ユニット１は、一端から他端にかけて同一幅の一方の辺１ａと他方の辺１ｂが略Ｌ形（直角）に連続されている。一方の辺１ａの方が他方の辺１ｂよりも長く形成されている。他方の家具ユニット２は、一端から他端にかけて同一幅の一方の辺２ａと他方の辺２ｂが略Ｌ形（直角）に連続されている。一方の辺２ａの方が他方の辺２ｂよりも長く形成されている。図１に示されるように、一方の家具ユニット１は大形のユニットであり、他方の家具ユニット２は相対的に小形である。一方及び他方の家具ユニット１、２の実施例の具体的寸法は、図９（一方の家具ユニット）、及び図１０（他方の家具ユニット）に示されている通りである。
【００１４】
一方の家具ユニット１の内壁面には、その略Ｌ形面を接地させた時の中段部に第１の係合部としての雌係合部３が設けられ（図９参照）、他方の家具ユニット２の一方の端面には、上記雌係合部３に着脱自在に係止される第２の係合部としての雄係合部４が設けられている（図１０参照）。
【００１５】
また、雌係合部３は、一方の家具ユニット１の略Ｌ形の一方の辺１ａ及び他方の辺１ｂの内壁面の中段部に横方向に略連続した形状で設けられている。さらに、他方の家具ユニット２の一方の端面には、上記雄係合部４が設けられ、この他方の家具ユニット２の角部の外壁には、雌係合部３が設けられ、この雌係合部３には、別の、他方の家具ユニット２の一方の端面に設けられた雄係合部４が着脱自在に係止される構造とされている。
【００１６】
図１１及び図１２に示すように、雌係合部３は、横方向に連続する溝形の金具により形成されており、雄係合部４は、横方向に連続するフック形の金具により形成され、共に、互いに着脱自在に係合する一対の雌雄金具である。雄係合部４として使用する雄金具は、その先端側が上方向に折曲されたフック形であり、雌係合部３として使用する雌金具は、その溝の奥部が上方向に折曲された溝形であって、市販のものが使用できる。
【００１７】
図１乃至図８は、上記一方及び他方の家具ユニット１、２を組み合わせて成る、ユニット家具の使用の態様を示すものである。
図１及び図２は、基本態様であって、一方の家具ユニット１のＬ形面を接地させ、他方の家具ユニット２の他方の端面を接地させた時に、一方の家具ユニット１の雌係合部３に他方の家具ユニット２の雄係合部４を挿入係止させて、一方の家具ユニット１に対し他方の家具ユニット２を固定されるようにしている。この場合、一方の家具ユニット１は、衝立板として、他方の家具ユニット２は腰掛けとして用いられる。
【００１８】
図３及び図４の態様は、一個の一方の家具ユニット１に対し、二個の他方の家具ユニット２を固定したものである。図４の態様では、一個の他方の家具ユニット２の角部の雌係合部３に、他の一個の他方の家具ユニット２の一端面の雄係合部４を係止させて、連続させている。
【００１９】
図５乃至図８の態様では、上記一方の家具ユニット１の上縁に対し、他の一方の家具ユニット１の一端面を接地させ、他端面を係止させるようにして固定させている。固定は、上記と同様の雌雄金具を用いるようにしても良いし、他の固定具を用いて着脱自在に固定させるようにしても良い。この場合逆Ｌ形に接地させた他の一方の家具ユニット１は、テーブルとして使用する。
【図面の簡単な説明】
【００２０】
【図１】本発明に係るユニット家具の一使用態様を示す斜視図である。
【図２】本発明に係るユニット家具の他の使用態様を示す斜視図である。
【図３】本発明に係るユニット家具のさらに他の使用態様を示す斜視図である。
【図４】本発明に係るユニット家具のさらに他の使用態様を示す斜視図である。
【図５】本発明に係るユニット家具のさらに他の使用態様を示す斜視図である。
【図６】本発明に係るユニット家具のさらに他の使用態様を示す斜視図である。
【図７】本発明に係るユニット家具のさらに他の使用態様を示す斜視図である。
【図８】本発明に係るユニット家具のさらに他の使用態様を示す斜視図である。
【図９】一方の家具ユニットの正面図（Ａ）、底面図（Ｂ）及び側面図（Ｃ）である。
【図１０】他方の家具ユニットの正面図（Ａ）、底面図（Ｂ）及び側面図（Ｃ）である。
【図１１】一方及び他方の家具ユニットの結合状態を示す断面図である。
【図１２】一方及び他方の家具ユニットの要部の分離斜視図である。
【符号の説明】
【００２１】
１  一方の家具ユニット、１ａ  一方の辺、１ｂ  他方の辺
２  一方の家具ユニット、２ａ  一方の辺、２ｂ  他方の辺
３  雌係合部
４  雄係合部
【図１】
2005066188.tif 000003
【図２】
2005066188.tif 000004
【図３】
2005066188.tif 000005
【図４】
2005066188.tif 000006
【図５】
2005066188.tif 000007
【図６】
2005066188.tif 000008
【図７】
2005066188.tif 000009
【図８】
2005066188.tif 000010
【図９】
2005066188.tif 000011
【図１０】
2005066188.tif 000012
【図１１】
2005066188.tif 000013
【図１２】
2005066188.tif 000014